(57)【要約】【課題】裏録機能で一時記録領域に記録した放送番組の番組データをユーザが番組データの内容を分かりやすくし、ＤＶＤや通常記録領域に記録する際の操作を簡単にする。【解決手段】一時記録領域３０にチューナ部２から入力された番組データを記録するとき、放送番組のタイトルをメインタイトル、チャンネル及び記録時刻をサブタイトルとし、これらを番組データのタイトルとして設定する。一時記録領域３０に記録している番組データをメインタイトルとサブタイトルのタイトルで管理することで、ユーザは、一時記録領域３０に記録している番組データをタイトルで知ることができ、通常記録領域３１あるいはＤＶＤ処理部６にセットされているＤＶＤに対して記録する時、番組データの確認するために視聴する操作を行わずとも、番組データの内容を知ることができるため、操作が簡単になる。【選択図】図３
2009093699.tif 000002
【特許請求の範囲】
【請求項１】
選局しているチャンネルで放送されている放送番組を受信する受信手段と、
前記受信手段が受信している放送番組の番組データを一時記録領域に記録する第１の記録手段と、を備えた録画装置において、
番組データを前記一時記録領域に記録している放送番組毎に、前記受信手段で受信した電子番組表情報から抽出した番組タイトルをメインタイトル、及び前記一時記録領域に記録した記録時刻及び当該放送番組のチャンネルをサブタイトルとして設定するタイトル設定手段と、
前記一時記録領域に記録している放送番組毎に、設定されているメインタイトル及びサブタイトルを出力する出力手段と、
前記出力手段がメインタイトル及びサブタイトルを出力した放送番組の中で選択された放送番組について、前記一時記録領域に記録している番組データを、通常記録領域に記録する第２の記録手段と、を備えた録画装置。
【請求項２】
前記第２の記録手段は、前記一時記録領域に記録している番組データを、通常記録領域に記録する放送番組の番組タイトルを、対応するメインタイトルに設定する手段である請求項１に記載の録画装置。
【請求項３】
前記受信手段が受信している物理チャンネルに含まれている仮想チャンネル毎に、放送番組を分離する分離手段を備え、
前記第１の記録手段は、前記分離手段が分離した仮想チャンネル毎に放送されている放送番組を一時記録領域に記録する手段である請求項１または２に記載の録画装置。
【請求項４】
前記第２の記録手段が前記通常記録領域に記録した放送番組の番組データを前記第１の記録手段から削除する削除手段を備えた、請求項１〜３の何れかに記載の録画装置。
【請求項５】
前記第１の記録手段は、番組データをハードディスクに記録する手段であり、
前記第２の記録手段は、番組データをＤＶＤに記録する手段である、請求項１〜４の何れかに記載の録画装置。
【発明の詳細な説明】
【技術分野】
【０００１】
本発明は、放送番組を受信し、受信した放送番組の番組データを記録する録画装置に関する。
【背景技術】
【０００２】
近年、記録媒体としてハードディスク（以下、ＨＤと称す）を内蔵している録画装置が普及している。こうした録画装置では、ＨＤを一時記録領域と通常記録領域とに分け、受信している放送番組の番組データを常に一時記録領域に記録する裏録機能を有するものがある。裏録機能とは、受信している放送番組の番組データを一時記録領域に記録する機能である。ユーザはこの裏録機能により、現在視聴している放送番組を予約録画し忘れていた場合には、一時記録領域に記録している番組データを通常記録領域あるいは光ディスク等の他の記録媒体にコピーして、保存することができる。また、予約録画をする予定はなかったが、現在視聴している放送番組を後で再び視聴したいと思った時に、一時記録領域に記録しているこの放送番組の番組データを通常記録領域あるいは光ディスク等の他の記録媒体にコピーして、保存することができる。
【０００３】
また、特許文献１では、予約録画を行なう際、電子番組表情報から抽出した番組タイトルを予約録画した放送番組の番組データのタイトルとする情報記録再生装置が提案されている。
【特許文献１】特開２００６−７４０９７号公報
【発明の開示】
【発明が解決しようとする課題】
【０００４】
しかしながら、これまでの裏録機能では、一時記録領域に記録している放送番組のタイトルは、この番組データを一時記録領域に記録した記録時刻と、チャンネルだけであった。そのため、予約録画を忘れていた放送番組を一時記録領域から通常記録領域あるいは光ディスク等の他の記録媒体にコピーする時、ユーザは一時記録領域に記録している番組データの番組タイトルが分からない。したがって、ユーザはどの番組データが予約録画を忘れていた放送番組を確認するために、番組データを視聴する操作をしなければならず、操作が煩雑であった。
【０００５】
また、特許文献１に記載されているように、一時記録領域に記録した放送番組のタイトルを、記録時刻とチャンネルに代えて、電子番組表情報から抽出した番組タイトルにしても、ユーザは、視聴している放送番組を後で再び視聴したいと思い、通常記録領域あるいは光ディスク等の他の記録媒体に記録する時、番組タイトルだけでは記録しておきたいと思った放送番組であるのかを判断することが難しい。すなわち、ユーザが視聴していたのは、偶然視聴していた放送番組であるため、番組タイトルを知らない可能性が高い。したがって、ユーザは放送番組の内容を確認するために、番組データを視聴する操作をしなければならず、操作が煩雑であった。
【０００６】
そこで、本発明の目的は。一時記録領域記録している番組毎に、電子番組表情報から抽出した番組タイトルをメインタイトル、及び一時記録領域に記録した記録時刻及びこの放送番組のチャンネルをサブタイトル、をタイトルとして設定することにより、一時記録領域に記録した放送番組の内容を確認するために番組データを視聴する操作をせずとも、タイトルから放送番組の内容を確認することができるため、ユーザの操作を簡単にした録画装置を提供することにある。
【課題を解決するための手段】
【０００７】
本発明は、上記課題に鑑み、以下の構成である。
【０００８】
受信手段が、選局しているチャンネルで放送されている放送番組を受信する。受信手段が受信した放送番組の番組データを、第１の記録手段が、一時記録領域に記録する。一時記録領域に記録している放送番組毎に、タイトル設定手段が、受信手段で受信した電子番組表情報から抽出した番組タイトルをメインタイトル、及び一時記録領域に記録した記録時刻及びこの放送番組のチャンネルをサブタイトルとして設定する。設定されているメインタイトル及びサブタイトルを出力手段が出力する。出力手段がメインタイトル及びサブタイトルを出力した放送番組の中で選択選択された放送番組について、第２の記録手段が一時記録領域に記録している番組データを、通常記録領域に記録する。
【０００９】
したがって、一時記録領域に記録した放送番組の内容を確認するために番組データを視聴する操作をせずとも、タイトルから放送番組の内容を確認することができる
【発明の効果】
【００１０】
一時記録領域に記録した放送番組の内容を確認するために番組データを視聴する操作をせずとも、タイトルから放送番組の内容を確認することができる
【発明を実施するための最良の形態】
【００１１】
以下、本発明の実施形態について説明する。
【００１２】
図１は本発明を適用したＨＤ／ＤＶＤ複合機の構成を示すブロック図である。
【００１３】
ＨＤ／ＤＶＤ複合機１は、チューナ部２、ＨＤ３、制御部４、操作部５、ＤＶＤ処理部６、出力部７、を備えている。なお、本実施形態において、第１の記録手段は、放送番組をＨＤ３に設けられている一時記録領域３０に記録する手段であり、第２の記録手段は、放送番組をＨＤ３に設けられている通常記録領域３１に記録する手段または、ＤＶＤ処理部６にセットされている図示していないＤＶＤに記録する手段である。
【００１４】
チューナ部２はアンテナ２０と接続する。アンテナ２０がアナログ放送信号やディジタル放送信号を受信する。受信した放送信号をチューナ部２に入力する。チューナ部２は、アンテナ２０からアナログ放送信号が入力されると、アナログ放送信号の信号処理を行い放送番組の番組データをＨＤ３に入力する。チューナ部２は、アンテナ２０からディジタル放送信号が入力されると、チューナ部２はこのディジタル放送信号のデコード処理を行い、物理チャンネルかに含まれている仮想チャンネル毎に、その仮想チャンネルで放送されている放送番組の番組データをＨＤ３に入力する。このとき、チューナ部２は、ＨＤ３に入力する番組データにアンテナ２０で受信した電子番組表情報から抽出した放送番組の番組タイトルをメインタイトル、及び放送番組の記録時刻及びチャンネルをサブタイトル、としてタイトルを設定し、ＨＤ３に入力する。
【００１５】
ＨＤ３は、裏録機能で使用する一時記録領域３０と、予約録画処理等で使用する通常記録領域とを備えている。一時記録領域３０は、リングバッファとして利用される。また、通常記録領域３１は、放送番組等の保存領域として利用される。一時記録領域３０は、放送番組の番組データを所定時間分、例えば、３時間分、４時間分、記録できる容量である。通常記録領域３１は、ＨＤ３の一時記録領域３０を除いた領域である。一時記録領域３０には、チューナ部２から入力された放送番組の番組データと、この番組データに設定したタイトルとが記録されている。タイトルには、メインタイトルとサブタイトルがある。メインタイトルは、放送番組の番組タイトルである。また、サブタイトルは、番組データを一時記録領域３０に記録した記録時刻及び放送番組のチャンネルである。この一時記録領域３０は、チューナ部２から番組データが入力されている間、常に入力された番組データを記録する。一時記録領域３０に記録する複数の番組データ及び其々のタイトルの記録形式及びその内容の詳細は後述する。
【００１６】
制御部４は、本体各部の動作を制御する。また、一時記録領域３０に記録した番組データへタイトルの設定付けの制御、一時記録領域３０から通常記録領域３１、あるいはＤＶＤ処理部６にセットされているＤＶＤに番組データを記録する制御、一時記録領域３０に記録している番組データを削除する制御、の各制御を行なう。これらの制御の詳細は後述する。
【００１７】
操作部５は、図示していないリモコン装置から送信された信号を受信する受信部や、複数の操作キーが設けられている。受信部が受信した図示していないリモコン装置から送信された信号や、操作された操作キーに応じた信号を制御部４へ入力する。
【００１８】
ＤＶＤ処理部６は、制御部４からの制御を受けて、セットされているＤＶＤに対する記録処理や再生処理を行う。ＤＶＤ処理部６が行うＤＶＤ対する記録処理や再生処理は公知の処理であるため説明は省略する。
【００１９】
出力部７は、図示していないモニタ等の表示器に接続されており、ＤＶＤ処理部６や、ＨＤ３から送信されたデータを図示していない表示器に出力する。
【００２０】
図２〜図５を利用して、ＨＤ／ＤＶＤ複合機１が行なう、一時記録領域３０に記録した番組データへのタイトルの設定付けの処理、一時記録領域３０に記録している番組データのＤＶＤあるいは通常記録領域３１に対する記録処理、及び一時記録領域３０に記録している番組データに対する削除処理を説明する。
【００２１】
図２はＨＤ／ＤＶＤ複合機１が行なう動作のフローチャートを示す図である。
【００２２】
ＨＤ／ＤＶＤ複合機１は、電源がオンされている状態では、一時記録領域３０にチューナ部２から入力されている放送番組の番組データを記録する。電源がオンされている状態とは、主電源がオンされている状態であり、そのときに、ＨＤ３またはＤＶＤ処理部６がデータの記録・再生処理等を行っている状態であるときも、これらの処理を行っていないスタンバイ状態にあるときも含んでいる。
【００２３】
電源がオンされていると、アンテナ２０が受信しチューナ部２へ入力した放送番組信号を、ディジタル放送信号の場合、デコード処理を行い、物理チャンネルに含まれている仮想チャンネル毎にその仮想チャンネルで放送されている放送番組に分離する（Ｓ１）。ステップＳ１において、アンテナ２０がアナログ放送信号を受信すると、この処理は行わない。そして、各チャンネルで放送されている放送番組の番組データを一時記録領域３０に記録する（Ｓ２）。一時記録領域３０に記録しているときにアンテナ２０で受信している電子番組表情報から一時記録領域３０に記録する番組データの番組タイトルを抽出する。そして、この番組タイトルをメインタイトルとし、一時記録領域３０に記録している放送番組の記録時刻及びチャンネルをサブタイトルとして、この番組データにメインタイトルとサブタイトルとをタイトルとして設定する（Ｓ３）。ステップＳ３において、制御部４は、一時記録領域３０に記録した番組データを図３に示すテーブル形式である番組データテーブルで管理する。図３（Ａ）は、一時記録領域３０に記録したディジタル放送信号番組データを、図３（Ｂ）は一時記録領域３０に記録したアナログ放送信号番組データを其々示している。ステップＳ２，３において、制御部４は、一時記録領域３０に記録した放送番組の番組データのタイトルは、メインタイトルとサブタイトルで管理する。メインタイトルは放送番組の番組タイトル、サブタイトルはチャンネル及び記録時刻である。図３の番組データテーブルは、通常記録領域３１あるいは一時記録領域３０に記憶しても良いし、別に不揮発性のメモリ（例えば、ＥＥＰＲＯＭ、ＳＤＲＡＭ）を設け、これに記憶しても良い。また、バッテリバックアップされた揮発性メモリに記憶しても良い。
【００２４】
こうすることにより、ユーザは操作部５を操作して、出力部７から図示していない表示器にこの番組データテーブルを出力することで、一時記録領域３０に記録している放送番組の番組データをメインタイトル及びサブタイトルのタイトルで知ることができる。そのため、ユーザは番組データの内容を知り易くなり、後述する一時記録領域３０から通常記録領域３１、あるいはＤＶＤ処理部６にセットされているＤＶＤに対する記録処理時に、番組データを確認する操作をせずとも、記録した番組データを選択することが容易となるため、操作が簡単になる。
【００２５】
また、番組データに設定するタイトルを、番組タイトルをメインタイトル、及びチャンネルと記録時刻とをサブタイトル、と設定することにより、ユーザが予約録画の設定をするのを忘れていた放送番組を、一時記録領域３０から通常記録領域３１やＤＶＤ処理部６にセットされているＤＶＤといった記録媒体に対してコピーする時にメインタイトルである番組タイトルから記録した番組データの内容を視聴して確認する操作を行なわずとも、番組データの内容を判断しやすくなる。したがって、記録媒体へコピーする時に、ユーザの操作が簡単になる。
【００２６】
また、視聴している放送番組を後で再び視聴したい場合、番組タイトルが分からないときがあるため、サブタイトルとしてチャンネルと記録時刻とをタイトルに設定することで、番組データの内容を視聴して確認する操作をせずとも、番組データの内容を判断することが容易になる。したがって、記録媒体へコピーする時にユーザの操作が簡単になる。
【００２７】
ユーザが、一時記録領域３０に記録した番組データを通常記録領域３１あるいはＤＶＤ処理部６にセットされているＤＶＤに対して記録する操作を行う（Ｓ４）と、制御部４は、番組データテーブルを出力部７から出力し（Ｓ５）、図示していない表示器に図４に示す記録テーブルを表示する。Ｓ５において、図４に示す記録テーブルでは、一時記録領域３０に記録した番組データのタイトルであるメインタイトルとサブタイトルが示されている。表示されるタイトルは、メインタイトルである番組データの番組タイトル、サブタイトルであるチャンネル及び記録時刻である。また、現在一時記録領域３０に記録している番組データのタイトルをハッチング処理で示している。このハッチング処理されたタイトルはハイライト表示で図示していない表示器に表示される。ユーザは操作部５を操作し、矢印を上下方向に移動させ、記録したい番組データの選択を行なう（Ｓ６）。そして、ユーザは、操作部５を操作し、選択した番組データを記録する記録媒体の選択を行なう。制御部４は、この操作を受けて、選択されたタイトルが設定されている番組データを記録媒体に記録する（Ｓ７）。記録媒体に記録する時、制御部４は、番組データのタイトルとして設定したメインタイトル及びサブタイトルのうち、サブタイトルであるチャンネルと記録時刻を削除する。記録媒体に記録するのは選択した放送番組の番組データ、この番組データのタイトルとして設定したメインタイトルである番組タイトル、である。番組データとこのタイトルとを記録媒体に記録する処理は公知の処理である。そして、制御部４は、ユーザに選択されたタイトルが設定されれている番組データを一時記録領域３０からユーザに選択された記録媒体に記録すると、制御部４は、選択されたタイトルが設定されている番組データを一時記録領域３０から削除し、この番組データが設定されたタイトルも番組データテーブルから削除する（Ｓ８）。一時記録領域３０から記録媒体に番組データ及びタイトルとしてメインタイトルを記録する処理を行う時にも、一時記録領域３０には、チューナ部２から入力された番組データ及びタイトルを記録する。
【００２８】
一時記録領域３０に記録した番組データを通常記録領域３１あるいはＤＶＤ処理部６にセットされているＤＶＤといった記録媒体に記録した後に、一時記録領域３０に記録している番組データを削除する手間が省ける。すなわち、記録媒体に番組データを記録した後に、再び、一時記録領域３０に記録している番組データを選択して、削除するという操作をする手間が省けるため、操作が簡単になる。
【００２９】
ユーザから一時記録領域３０から通常記録領域３１またはＤＶＤ処理部６にセットされているＤＶＤへの記録操作の指示がないとき（Ｓ４のＮ）、現在一時記録領域３０に記録している番組データの記録時間を確認し（Ｓ９）、予め定めた所定の記録時間、例えば、３０分、１時間、番組データを一時記録領域３０に記録できる時間が残されているかの確認を行う（Ｓ１０）。この時間が残されていない時に、制御部４は、出力部７から図５（Ａ）に示す警告表示を出力する（Ｓ１１）。出力部７に接続されている表示器が、この警告表示を表示する。ユーザは操作部５を操作して、矢印を上下方向に動かすことで、一時記録領域３０に記録している番組データに設定しているタイトルを選択して削除するかどうかを選択する。ユーザが「はい」を選択すると、制御部４は図５（Ｂ）に示すデータ削除テーブルを表示する（Ｓ１２）。このデータ削除テーブルは一時記録領域３０に記録されている番組データを設定されているメインタイトル及びサブタイトルのタイトルで表示する。また、現在一時記録領域３０に記録している番組データのタイトルをハッチング処理で示している。このハッチング処理されているタイトルは、ハイライト表示で表示器に表示される。ユーザは、操作部５を操作することで、矢印を上下方向に移動させ、一時記録領域３０から削除したい番組データのタイトルを選択する（Ｓ１３）。制御部４は選択されたタイトルの番組データを削除し、データ削除テーブルから、選択された番組データに設定されたタイトルを削除する。ユーザが「いいえ」を選択するか、所定の時間、例えば、１分、３０秒、ユーザからの操作が入力されなかったときには、制御部４は、データ削除テーブルのサブタイトルの一つである記録時刻を参照する。そして、制御部４は、最も古い記録時刻のサブタイトルが設定されたタイトルを選択し、このタイトルが設定されている番組データを削除し、データ削除テーブルから、選択した番組データのタイトルを削除する（Ｓ１４）。
【００３０】
こうすることにより、一時記録領域３０に記録している放送番組の番組データの中でユーザにとって不要な番組データを優先的に削除していくことができる。また、ユーザが操作を行なわずとも、番組データの削除を行なえるため、ユーザの操作が簡単になる
なお、ステップＳ９〜Ｓ１４における削除するタイミングの判定方法は、この他にも、例えば、番組タイトルが変化した時にこの処理を行っても良いし、それ以外にも様々な方法で削除するタイミングを決定しても良い。
【００３１】
また、ステップＳ１１において、警告表示を出力せずに、Ｓ１４の処理を行っても良い。
【００３２】
また、本実施形態は、ＨＤ／ＤＶＤ複合機であるが、ＤＶＤではなく、ＢＤにしても良い。また、ＨＤ／ＤＶＤ／ＢＤ複合機であっても良い。ＤＶＤではなく、ＢＤにした場合、ＢＤの再生処理及び記録処理は公知の方法で行う。
【図面の簡単な説明】
【００３３】
【図１】本実施形態であるＨＤ／ＤＶＤ複合機の構成ブロック図である。
【図２】ＨＤ／ＤＶＤ複合機が行う動作のフローチャートである。
【図３】一時記録領域が記録したタイトルのテーブルを示した図である。
【図４】一時記録領域からＤＶＤあるいはＨＤに記録する時に出力する図である。
【図５】一時記録領域のデータ削除時に出力する図である。
【符号の説明】
【００３４】
１…ＨＤ／ＤＶＤ複合機
２…チューナ部
２０…アンテナ
３…ＨＤ
３０…一時記録領域
３１…通常記録領域
４…制御部
５…操作部
６…ＤＶＤ処理部
７…出力部
【図１】
2009093699.tif 000003
【図２】
2009093699.tif 000004
【図３】
2009093699.tif 000005
【図４】
2009093699.tif 000006
【図５】
2009093699.tif 000007